(57)【要約】【課題】庫内に陳列されている商品に均一に照明を当てることができると共に、高い断熱性を有する冷蔵庫を提供すること。【解決手段】ガラス板２１からなる窓部２０を備えた扉体３０を庫体１０の開口部１４に設けた冷蔵庫において、扉体は窓部と該窓部の周囲に設けられた断熱部３５とからなり、断熱部は一対の表面材３１と、これら面材間の周囲に配置される枠材３２及び表面材と枠材が形成する空間内に充填される断熱心材３４とからなり、断熱部の庫内面における窓部の両側に長手通しの凹部４１を設け、該凹部内にＬＥＤ４６を適宜間隔で配設する。【選択図】  図２
2010063536.tif 000002
【特許請求の範囲】
【請求項１】
透明板からなる窓部を備えた扉体を庫体の開口部に設けた冷蔵庫であって、
上記扉体は上記窓部と該窓部の周囲に設けられた断熱部とからなり、
上記断熱部は一対の面材と、これら面材間の周囲に配置される枠材及び上記面材と枠材が形成する空間内に充填される発泡断熱材とからなり、
上記断熱部の庫内面における上記窓部の両側に長手通しの凹部を設け、該凹部内に発光素子を適宜間隔で配設してなる、
ことを特徴とする冷蔵庫。
【請求項２】
請求項１記載の冷蔵庫において、
上記凹部を上記面材及び枠材と協働して空間を形成する断面略ハット状の形材にて形成し、
上記発光素子を、上記発泡断熱材に埋設された電源のリード線に接続する回路基板に接続してなる、
ことを特徴とする冷蔵庫。
【請求項３】
請求項１又は２記載の冷蔵庫において、
上記凹部における発光素子の配設側に反射部を設ける、ことを特徴とする冷蔵庫。
【請求項４】
請求項１ないし３のいずれかに記載の冷蔵庫において、
上記凹部の開口部に透明性カバーを被覆してなる、ことを特徴とする冷蔵庫。
【発明の詳細な説明】
【技術分野】
【０００１】
この発明は、特に庫内に設けた照明により庫内に収容された生鮮食品や生花等の保冷商品を照らし出す、ショーケースとしての機能を有する冷蔵庫に関するものである。
【背景技術】
【０００２】
一般に、生花や生鮮食品等のように保存に際して冷蔵が必要なものを陳列するには、例えばガラス製の透明部を有するショーケースに照明及び冷却器を設けた冷蔵庫が用いられている。
【０００３】
この種の冷蔵庫として、庫内の収納スペースの関係などから庫体の上部に照明用の光源である蛍光灯を配置したショーケースが知られている（例えば、特許文献１参照）。
【０００４】
また、複層透明板を備えた扉体を貯蔵室の開口部に設けた冷蔵ショーケースにおいて、複層透明板間に例えば蛍光灯からなる照明装置を配置したものが知られている（例えば、特許文献２参照）。
【特許文献１】特開平４−１９３１１２号公報（特許請求の範囲、第１図，第８図）
【特許文献２】特開２００３−７９４８８号公報（特許請求の範囲、図４）
【発明の開示】
【発明が解決しようとする課題】
【０００５】
しかしながら、特許文献１に記載のショーケースにおいては、庫体の上部に蛍光灯を配置した構造であるため、庫内に陳列されている商品に対して照明が均一に当たらないといった問題がある。すなわち、庫内上部に陳列されている商品には過度な照明が当たり、庫内下部に陳列されている商品には充分な照明が当たらないという問題がある。
【０００６】
これに対して、特許文献２に記載の冷蔵ショーケースにおいては、扉体に備えられた複層透明板間の左右に蛍光灯からなる照明装置を配置するため、庫内に陳列されている商品に対して照明を均一に当てることができる。しかし、特許文献２に記載のものは、扉体に備えられた複層透明板間に蛍光灯からなる照明装置が配置される構造であるため、照明装置が非常に大きくなり、その周囲には断熱材を充分に配置することができない。このため、扉体の断熱性能が低下するという問題がある。
【０００７】
この発明は、上記事情に鑑みてなされたのもので、庫内に陳列されている商品に均一に照明を当てることができると共に、高い断熱性を有する冷蔵庫を提供することを課題とする。
【課題を解決するための手段】
【０００８】
上記課題を解決するため、この発明の冷蔵庫は、透明板からなる窓部を備えた扉体を庫体の開口部に設けた冷蔵庫であって、上記扉体は上記窓部と該窓部の周囲に設けられた断熱部とからなり、上記断熱部は一対の面材と、これら面材間の周囲に配置される枠材及び上記面材と枠材が形成する空間内に充填される発泡断熱材とからなり、上記断熱部の庫内面における上記窓部の両側に長手通しの凹部を設け、該凹部内に発光素子を適宜間隔で配設してなる、ことを特徴とする（請求項１）。
【０００９】
このように構成することにより、扉体を構成する窓部の周囲に設けられた断熱部を、一対の面材と、これら面材間の周囲に配置される枠材及び面材と枠材が形成する空間内に充填される発泡断熱材とで形成し、断熱部の庫内面における窓部の両側に設けられる凹部内に発光素子を適宜間隔で配設することができる。
【００１０】
この発明において、上記凹部を上記面材及び枠材と協働して空間を形成する断面略ハット状の形材にて形成し、上記発光素子を、上記発泡断熱材に埋設された電源のリード線に接続する回路基板に接続する方が好ましい（請求項２）。
【００１１】
このように構成することにより、凹部を面材と別個の形材により形成することができるので、発光素子の配置に自由度を持たせることができ、また、発光素子の取り付けを容易にすることができる。
【００１２】
また、この発明において、上記凹部における発光素子の配設側に反射部を設けるようにしてもよい（請求項３）。
【００１３】
このように構成することにより、凹部に配設された発光素子からの光を反射部で反射して庫内側に導くことができる。
【００１４】
加えて、この発明において、上記凹部の開口部に透明性カバーを被覆する方が好ましい（請求項４）。
【００１５】
このように構成することにより、発光素子からの光の質を透明性カバーによって変化させることができる。
【発明の効果】
【００１６】
この発明によれば、上記のように構成されているので、以下のような優れた効果が得られる。
【００１７】
（１）請求項１記載の発明によれば、扉体を構成する窓部の周囲に設けられた断熱部を、一対の面材と、枠材及び面材と枠材が形成する空間内に充填される発泡断熱材とで形成し、断熱部の庫内面における窓部の両側に設けられる凹部内に発光素子を適宜間隔で配設するので、扉体に設けられた発光素子により庫内に陳列されている商品に均一に照明を当てることができる。また、発光素子は小型のため、扉体への配置は扉体の庫内面に凹部を設けるだけでよいので、凹部の周辺に断熱材を配置することができ、扉体に高い断熱性を持たせることができる。さらに、発光素子は熱を殆ど発生させないので、周囲の断熱材に影響を与えることはなく、断熱性の維持を図ることができる。
【００１８】
（２）請求項２記載の発明によれば、凹部を面材と別個の形材により形成することができるので、上記（１）に加えて、さらに発光素子の配置に自由度を持たせることができ、また、発光素子の取り付けを容易にすることができる。
【００１９】
（３）請求項３記載の発明によれば、凹部に配設された発光素子からの光を反射部で反射して庫内側に導くことができるので、上記（１），（２）に加えて、さらに発光素子から発生した光を効率的に庫内に陳列されている商品に当てることができる。
【００２０】
（４）請求項４記載の発明によれば、発光素子からの光の質を透明性カバーによって変化させることができるので、上記（１）〜（３）に加えて、さらに庫内に陳列されている商品に対する照明に変化をもたせることができる。
【発明を実施するための最良の形態】
【００２１】
以下に、この発明の最良の実施形態を添付図面に基づいて詳細に説明する。
【００２２】
図１は、この発明に係る冷蔵庫の扉体を開いた状態を示す斜視図、図２は、上記扉体の断面図（ａ）及び（ａ）のＩ部を示す拡大断面図（ｂ）、図３は、上記冷蔵庫の照明部の配線を示す概略正面図である。
【００２３】
この発明に係る冷蔵庫１は、一側に開口部１４を有する庫体１０と、該庫体１０の開口部１４を開閉する扉体３０と、庫体１０内に冷気を供給する冷却ユニット５０とで主に構成されている。この場合、扉体３０は、この扉体３０の中央に透明窓部２０を備え、庫内側の透明窓部２０の両側に照明部４０が設けられている。また、冷却ユニット５０は、庫体１０の上部に搭載されており、図示しない送風ファンによって庫体１０の天井部に設けられた連通口（図示せず）を介して庫体１０内に所定温度の冷気を供給可能に構成されている。
【００２４】
庫体１０は、矩形状の底壁体１１と、この底壁体１１の左右両側辺及び左右両側辺の一端辺部にそれぞれ立設する３枚の矩形状の側壁体１２ａ，１２ｂ，１２ｃと、側壁体１２ａ，１２ｂ，１２ｃの上端に覆設される矩形状の天井壁体１３とからなる箱状に形成されており、一側の開口部１４には、ヒンジ２を介して扉体３０が開閉可能に装着されている。なお、底壁体１１の下面の四隅にはアジャスタ３が取り付けられ、後方の両端部にはキャスタ（図示せず）が取り付けられている。
【００２５】
この場合、底壁体１１、側壁体１２ａ，１２ｂ，１２ｃ及び天井壁体１３は、それぞれ一対の例えばアルミニウム製あるいは鋼板製の表面材１５と、両表面材１５の辺部同士を連結する例えばアルミニウム製あるいは塩化ビニル製の押出形材にて形成される枠材１６と、表面材１５と枠材１６とで形成される空間内に充填される例えば発泡ポリウレタン製の断熱心材１７とからなる断熱パネルにて形成されている。
【００２６】
一方、扉体３０も庫体１０を構成する底壁体１１、側壁体１２ａ，１２ｂ，１２ｃ及び天井壁体１３と同様に矩形状の断熱パネルにて形成されている。すなわち、扉体３０は、一対の例えばアルミニウム製あるいは鋼板製の表面材３１と、両表面材３１の辺部同士を連結する例えばアルミニウム製あるいは塩化ビニル製の押出形材にて形成される枠材３２と、表面材３１と枠材３２と窓枠材３３及び後述する照明部４０を構成する例えばアルミニウム製押出形材４２とで形成される空間内に充填される例えば発泡ポリウレタン製の断熱心材３４とからなる断熱部３５を有する断熱パネルにて形成されている。
【００２７】
上記のように、底壁体１１、側壁体１２ａ，１２ｂ，１２ｃ、天井壁体１３及び扉体３０を、表面材１５，３１を有する断熱パネルにて形成することにより、特に側壁体１２ａ，１２ｂ，１２ｃ及び扉体３０の表面材１５，３１に塗装等を施して色彩や模様等を適宜変更することができる。これにより冷蔵庫１の使用を和風や洋風等に対応させることができ、自由度をもたせることができる。
【００２８】
また、扉体３０の中央部には、矩形状の透明板例えばガラス板２１からなる透明窓部２０（以下に窓部２０という）が設けられている。この窓部２０は、矩形状に組み付けられるチャンネル状の窓枠材３３の内周面に固定される断面略クランク状の保持枠２２の保持面に周設される矩形枠状の敷きゴム部材２３に合成ゴム製の額縁部材２４を介して固定されている（図２（ａ）参照）。
【００２９】
また、照明部４０は、断熱部３５の庫内面における窓部２０の両側に長手通しの凹部４１を設け、凹部４１内に発光素子４６（以下にＬＥＤ４６という）を適宜間隔で配設してなる。この場合、凹部４１は、上記表面材３１、枠材３２及び窓枠材３３と協働して空間を形成する断面略ハット状のアルミニウム製押出形材４２（以下に形材４２という）にて形成されている。この場合、形材４２は、開口部４２が拡開する台形状の凹溝４４の開口側両端に外向きフランジ４５を有する略断面ハット状に形成されている。
【００３０】
上記のように形成される形材４２の凹溝４４内に配設される回路基板４７にＬＥＤ４６が接続されている。回路基板４７は、断熱部３５すなわち断熱心材３４に埋設された電源のリード線４８に接続されている。なお、リード線４８は、扉体３０の表面材３１の裏面を伝ってヒンジ２に導かれ、冷却ユニット５０に設けられた操作盤５１の電源（図示せず）に接続されている（図３参照）。
【００３１】
また、形材４２の凹溝４４の内面すなわちＬＥＤ４６の配設側に、例えば形材４２と略相似形の断面を有する反射板からなる反射部４９を設けるようにしてもよい（図２及び図４参照）。このようにして、形材４２の凹溝４４のＬＥＤ４６の配設側に反射部４９を設けることにより、凹部４１に配設されたＬＥＤ４６からの光を反射部４９で反射して庫内側に導くことができ、ＬＥＤ４６から発生した光を効率的に庫内に陳列されている商品Ａに当てることができる。
【００３２】
また、凹部４１の開口部４２には、例えば半透明のアクリル樹脂製の透明性カバー６０が被覆されている（図２参照）。このようにして凹部４１の開口部４２を透明性カバー６０で被覆することにより、ＬＥＤ４６からの光の質を透明性カバー６０によって変化させることができるので、庫内に陳列されている商品Ａに対する照明に変化をもたせることができる。
【００３３】
なお、扉体３０の正面における自由端側には、扉体３０の上下長手方向に沿ってハンドル部７０が設けられている（図２参照）。この場合、ハンドル部７０は、図２（ａ）に示すように、扉体３０の正面側の表面材３１に連接される断面チャンネル状のアルミニウム製押出形材にて形成されるハンドル枠材７１と、このハンドル枠材７１の凹溝内に嵌挿される凹状ハンドル基部７２と、この凹状ハンドル基部７２の一側内面に固着される断面Ｌ字状の手掛け部材７３とで構成されている。なお、ハンドル枠材７１は、上記表面材３１と枠材３２と窓枠材３３及び形材４２と協働して断熱心材３４が充填される空間を形成している。
【００３４】
なお、図２に示すように、扉体３０の枠材３２の庫体側にはシールパッキン４が周設されており、このシールパッキン４が、庫体１０の開口部１４の枠材１６の端面に装着された結露防止用のヒータ線（図示せず）を保持するアルミニウム押出形材からなるヒータ線押さえ用の化粧枠５に当接可能に形成されている。
【００３５】
上記のように構成される扉体３０を作製するには、上記表面材３１と枠材３２と窓枠材３３と形材４２及びハンドル枠材７１を枠組みして空間を形成する際、扉体３０のヒンジ２側から引き込まれたリード線４８を例えば正面側の表面材３１の裏面にテープで固定して形材４２側に導いておく。そして、空間内に例えば発泡ポリウレタン製の断熱心材３４を充填して断熱部３５を形成する。このときの断熱心材３４の発泡温度は約４０℃であるので、リード線４８は温度変化を受けない。
【００３６】
上記のように構成されるこの発明の冷蔵庫によれば、扉体３０を構成する窓部２０の周囲に設けられた断熱部３５を、一対の表面材３１と枠材３２と窓枠材３３と形材４２及びハンドル枠材７１が形成する空間内に充填される断熱心材３４とで形成し、断熱部３５の庫内面における窓部２０の両側に設けられる凹部４１内にＬＥＤ４６を適宜間隔で配設するので、扉体３０に設けられたＬＥＤ４６により庫内に陳列されている商品Ａに均一に照明を当てることができる。また、ＬＥＤ４６は小型のため、扉体３０への配置は扉体３０の庫内面に凹部４１を設けるだけでよいので、凹部４１の周辺に断熱心材３４を配置することができ、扉体３０に高い断熱性を持たせることができる。さらに、ＬＥＤ４６は熱を殆ど発生させないので、周囲の断熱材に影響を与えることはなく、断熱性の維持を図ることができる。さらにまた、ＬＥＤ４６による光は熱や紫外線を発生しないので、庫内の内容物（商品）が生花や食料品であってもそれらを変質させることはない。
【００３７】
また、凹部４１を表面材３１と別個の形材４２により形成することができるので、ＬＥＤ４６の配置に自由度を持たせることができ、また、ＬＥＤ４６の取り付けを容易にすることができる。
【００３８】
なお、上記実施形態では、窓部２０を１枚のガラス板２１によって形成する場合について説明したが、窓部２０を二重ガラスでその間を真空にした真空断熱ガラスにすることも可能である。これにより窓部２０の断熱性を向上させることができ、ひいては扉体３０の断熱性を向上させることができる。
【図面の簡単な説明】
【００３９】
【図１】この発明に係る冷蔵庫の扉体を開いた状態の一例を示す斜視図である。
【図２】上記冷蔵庫の扉体の断面図（ａ）及び（ａ）のＩ部拡大断面図（ｂ）である。
【図３】この発明における照明部の配線を示す概略正面図である。
【図４】上記照明部の分解斜視図である。
【図５】上記照明部の配線を示す要部拡大断面図である。
【符号の説明】
【００４０】
１  冷蔵庫
１０  庫体
１４  開口部
３０  扉体
３１  表面材
３２  枠材
３３  窓枠材
３４  断熱心材（発泡断熱心材）
３５  断熱部
４０  照明部
４１  凹部
４２  形材
４３  開口部
４４  凹溝
４６  ＬＥＤ（発光素子）
４７  回路基板
４８  リード線
４９  反射部
６０  透明性カバー
【図１】
2010063536.tif 000003
【図２】
2010063536.tif 000004
【図３】
2010063536.tif 000005
【図４】
2010063536.tif 000006
【図５】
2010063536.tif 000007